(57)【特許請求の範囲】
【請求項１】
本体部材に形成された本体側筒状部と；
回動部材に形成された、上記本体側筒状部と同一軸線上に位置する回動側筒状部と；
この本体側筒状部と回動側筒状部とに跨らせて挿通する軸部を有し、該本体側筒状部に回り止め固定される金属軸部材と；
を備えたヒンジ構造において、
上記回動側筒状部の内面は、軸方向から見た形状が非円形形状をなし、
この非円形内面の回動側筒状部内に、相対回動が規制されて挿入される摩擦部材を有し、
この摩擦部材は、中空の略多角柱状をなしその各辺部が上記金属軸部材の軸部に向かって突出する湾曲形状をなす板ばね部材からなり、それぞれの湾曲形状部が、金属軸部材の軸部に対してその軸線と平行な接触領域で摩擦接触することを特徴とするヒンジ構造。
【請求項２】
請求項１記載のヒンジ構造において、本体側筒状部は、デジタルカメラの本体部材に設けられ、回動側筒状部は、該デジタルカメラのディスプレイ部材に設けられているヒンジ構造。
【発明の詳細な説明】
【０００１】
【技術分野】
本発明は、開閉機構に用いられるヒンジ構造に関する。
【０００２】
【従来技術及びその問題点】
ヒンジ構造を用いた開閉機構において、相対的に開閉運動する一方を本体部材、他方を回動部材とすると、本体部材に形成された本体側筒状部と回動部材に形成された回動側筒状部とを同一軸線上に位置させ、これらの本体側筒状部と回動側筒状部とに跨らせて金属軸部材を挿通する構造が一般に採用されている。
【０００３】
このタイプの開閉機構においては、小型化のために本体部材側と回動部材側の筒状部径を小さくすること、及び回動部材の回動抵抗（荷重）をできるだけ安定させることが望まれている。
【０００４】
【発明の目的】
本発明は、安定した回動抵抗が得られるヒンジ構造を得ることを目的とする。
【０００５】
【発明の概要】
本発明は、本体部材に形成された本体側筒状部と；回動部材に形成された、本体側筒状部と同一軸線上に位置する回動側筒状部と；この本体側筒状部と回動側筒状部とに跨らせて挿通する軸部を有し、本体側筒状部に回り止め固定される金属軸部材と；を備えたヒンジ構造において、回動側筒状部の内面は、軸方向から見た形状が非円形形状をなし、この非円形内面の回動側筒状部内に相対回動が規制されて挿入される摩擦部材を有し、この摩擦部材は、中空の略多角柱状をなしその各辺部が金属軸部材の軸部に向かって突出する湾曲形状をなす板ばね部材からなり、それぞれの湾曲形状部が、金属軸部材の軸部に対してその軸線と平行な接触領域で摩擦接触することを特徴としている。
【００１３】
本発明のヒンジ構造は、各種開閉機構一般に適用できるが、具体的な適用例を上げると、本体側筒状部をデジタルカメラの本体部材に設け、回動側筒状部を、該デジタルカメラのディスプレイ部材に設けたデジタルカメラがある。
【００１４】
【発明の実施形態】
本実施形態は、図３、図４に示すように、本発明のヒンジ構造をデジタルカメラの本体１０と、このカメラ本体１０に開閉可能に枢着するディスプレイ部材２０とのヒンジ構造に適用した実施形態である。カメラ本体１０とディスプレイ部材２０は一方が他方に対して相対的に回動する関係であり、便宜上、カメラ本体１０を本体部材、ディスプレイ部材２０を回動部材とする。
【００１５】
図１、図２に単体形状を示す回動部材２０は、ＬＣＤパネル２１と合成樹脂製ケーシング２２とを有し、ケーシング２２の側部に一体に、一対の回動側筒状部２３が間隔をおいて同一軸線上に突出形成されている。
【００１６】
一方、本体部材１０の合成樹脂製のケーシング１１の側部には、図５に明らかなように、回動部材２０の一対の回動側筒状部２３の上下に位置する一対の本体側筒状部１２が一体に突出形成されている。この本体部材１０側の本体側筒状部１２と、回動部材２０側の回動側筒状部２３とは同一軸線上に揃えられ、本体側筒状部１２と回動側筒状部２３に渡らせて金属軸部材３０を挿通することにより、回動部材２０が本体部材１０に開閉可能に枢着される。なお、本体側筒状部１２、回動側筒状部２３及び金属軸部材３０は、上下対称に設けられている。すなわち、本体側筒状部１２と回動側筒状部２３は一つずつが対をなし、図３、図４の上方の本体側筒状部１２と回動側筒状部２３には上方から、下方の本体側筒状部１２と回動側筒状部２３には下方から、それぞれ別の金属軸部材３０が挿入されるが、対称性から、以下の説明及び図では、一方（上方）のみを説明する。
【００１７】
回動部材２０の回動側筒状部２３には、金属軸部材３０を挿通する前に、図１、図２、図６に示すように、摩擦部材４０が挿入される。摩擦部材４０は、中空の略三角柱状に曲折形成した板ばね部材からなっている。より詳細には、三角形の各辺部４０ａが内方に向かって突出する湾曲形状をなしていて、該摩擦部材４０内に金属軸部材３０の軸部３０ａを挿入したとき、各辺部４０ａが弾性変形して摩擦接触する。回動側筒状部２３の筒状部形状は、この摩擦部材４０の形状に対応する略断面三角形穴２３ａであって、摩擦部材４０を回り止めするとともに、辺部４０ａが軸部３０ａによって弾性変形したときには、コーナ部またはエッジ部４０ｂが強く密着して遊びがとられる。一方、本体側筒状部１２の軸穴１２ｂは金属軸部材３０の軸部３０ａと略同一径の円形断面穴である。
【００１８】
金属軸部材３０は、軸部３０ａの端部に、径方向に突出する突起３０ｂを有している。この径方向突起３０ｂの幅Ｘは、図８に示すように、軸部３０ａの軸径Ｙより狭い。一方、本体部材１０の本体側筒状部１２の端部には、この径方向突起３０ｂを嵌合させる回り止め溝１２ａが形成されている。このように、金属軸部材３０の端部に、軸部３０ａの軸径Ｙより幅Ｘの狭い径方向突起３０ｂを設けると、回り止め溝１２ａの溝幅もこれに対応して小さくなる。このため、本体側筒状部１２を細径化してもその肉厚を確保して強度を保持することができ、結果的に本体側筒状部１２の径を小さくすることができる。このことは、図８において径方向突起３０ｂの幅Ｘが軸径Ｙと同等以上であると仮定すると、本体側筒状部１２の溝以外の部分の幅が小さくなり、強度確保が困難になることから理解される。
【００１９】
また、図９に示すように、金属軸部材３０の径方向突起３０ｂと、本体側筒状部１２の回り止め溝１２ａの底部との少なくとも一方に、径方向突起３０ｂと回り止め溝１２ａとの間に、軸方向の隙間３１を形成する凹部３０ｃまたは１２ｃが形成されている。このように軸方向隙間３１を形成することにより、一度挿入した金属軸部材３０を引き抜く際の引抜作業が容易になる。
【００２０】
以上のヒンジ構造は、組立時には、回動側筒状部２３の略断面三角形穴２３ａ内に摩擦部材４０を挿入し、回動側筒状部２３と本体側筒状部１２を同一軸線上に位置させた状態において、本体側筒状部１２及び摩擦部材４０（回動側筒状部２３）に跨らせて金属軸部材３０の軸部３０ａを挿入し、径方向突起３０ｂを本体側筒状部１２の回り止め溝１２ａに嵌合させる。すると摩擦部材４０の辺部４０ａが金属軸部材３０の軸部３０ａによって拡径する方向に弾性変形し、軸部３０ａとの間で十分な摩擦力を発生させる。このため、回動部材２０と本体部材１０との間に適当な安定した回動抵抗（荷重）を与えることができる。
【００２１】
図７は、摩擦部材４０の別の実施形態を示している。同図は中空の略四角柱形状とし、各辺部４０ｃを内方（軸部３０ａ）側に突出する湾曲形状とした摩擦部材４０Ｂを示している。回動側筒状部２３側の非円形断面穴は、このような摩擦部材４０Ｂの非円形形状に対応させた形状とする。
【００２２】
金属軸部材３０の径方向突起３０ｂは、以上の実施形態では、軸部３０ａの軸心から互いに反対方向に一対を突出させているが、径方向突起３０ｂは最低一個で足り、あるいは３個以上を等角度間隔で設けてもよい。特に２〜４個とすると、金属軸部材３０の固定強度と本体側筒状部１２の強度確保とをバランスよく達成できる。
【００２３】
【発明の効果】
本発明のヒンジ構造によれば、本体側部材と回動側部材の間の回動抵抗（荷重）が安定したヒンジ構造を得ることができる。
【図面の簡単な説明】
【図１】  本発明によるヒンジ機構を適用したデジタルカメラのディスプレイ部材単体及び摩擦部材の斜視図である。
【図２】  同ディスプレイ部材に摩擦部材を挿入した状態の斜視図である。
【図３】  図１、図２のディスプレイ部材をデジタルカメラ本体に組み合わせた状態及び金属軸部材の斜視図である。
【図４】  同デジタルカメラ本体とディスプレイ部材とを金属軸部材で枢着した状態の斜視図である。
【図５】  デジタルカメラ本体単体の斜視図である。
【図６】  図２のVI矢視平面図である。
【図７】  本発明の別の実施形態を示す、図６に対応する摩擦部材の平面図である。
【図８】  図４のVIII矢視平面図である。
【図９】  （Ａ）、（Ｂ）、（Ｃ）は、図８のIX‐IX線に沿う断面図である。
【符号の説明】
１０  本体部材（デジタルカメラ本体）
１１  ケーシング
１２  本体側筒状部
１２ａ  回り止め溝
１２ｂ  円形断面穴
２０  回動部材（ディスプレイ部材）
２１  ＬＣＤパネル
２２  ケーシング
２３  回動側筒状部
２３ａ  略断面三角形穴
３０  金属軸部材
３０ａ  軸部
３０ｂ  径方向突起
４０  ４０Ｂ  摩擦部材
【図１】
0004153714.tif 000002
【図２】
0004153714.tif 000003
【図３】
0004153714.tif 000004
【図４】
0004153714.tif 000005
【図５】
0004153714.tif 000006
【図６】
0004153714.tif 000007
【図７】
0004153714.tif 000008
【図８】
0004153714.tif 000009
【図９】
0004153714.tif 000010